(57)【要約】記録媒体（例えばＣＤ−Ｒ）に記録された情報データを記録手段（例えばＨＤＤ）の所定の領域に記録するに際し、記録媒体に情報の記録を許可する識別情報が付帯されているかの検出を行う。識別情報が付帯されている場合には、ＯＳが格納されたドライブ以外のドライブがあるかを調べ、ある場合にはＯＳが格納されていないドライブに情報データを格納する。  これにより記録媒体に記録された情報を安全な領域に記録することができる。【特許請求の範囲】
【請求項１】
所定の設計仕様を有し、記録媒体に記録された情報を記録手段の所定の領域に記録する記録手段と、前記記録手段の所定の設計仕様に基づいて前記所定の領域を選定する選定手段とを有し、前記所定の領域に前記情報を自動的に記録する情報記録装置。
【請求項２】
前記記録媒体に当該記録媒体を識別する識別情報が付帯されているかを検出する識別情報検出手段を有し、前記記録媒体に識別情報が付帯されている場合に、前記選定手段を行い、前記所定の領域に前記情報を自動的に記録する請求の範囲第１項に記載の情報記録装置。
【請求項３】
前記記録手段の設計仕様は、前記記録手段の機能的構成、物理的構成又は論理的構成である請求の範囲第１項に記載の情報記録装置。
【請求項４】
前記選定手段は、前記記録手段が物理的に分離された複数の前記記録手段から構成される場合に、前記情報記録装置の基本ソフトウェア及び／又は応用ソフトウェアが格納された記録手段とは異なる記録手段を前記所定の領域と選定する請求の範囲第１項に記載の情報記録装置。
【請求項５】
前記選定手段は、前記記録手段が論理的に分離された複数の記録区画を有する前記記録手段で構成される場合に、前記情報記録装置の基本ソフトウェア及び／又は応用ソフトウェアが格納された記録区画とは異なる記録区画を前記所定の領域と選定する請求の範囲第１項に記載の情報記録装置。
【請求項６】
コンピュータを、
記録媒体に記録された情報を記録手段の所定の領域に記録させる手段として機能させる情報記録制御プログラムにおいて、
前記記録手段の設計仕様に基づいて前記所定の領域を選定させる選定手段と、
前記所定の領域に前記情報を自動的に記録させる手段として機能させる情報記録制御プログラム。
【請求項７】
前記コンピュータを、
前記記録媒体に当該記録媒体を識別する識別情報が付帯されているかを検出させる識別情報検出手段として機能させ、
前記識別情報が検出された場合に、前記記録手段の構成に基づいて前記所定の領域を選定させて、前記所定の領域に前記情報を自動的に記録させる請求の範囲第６項に記載の情報記録制御プログラム。
【請求項８】
前記記録手段の設計仕様は、前記記録領域の機能的構成、物理的構成又は論理的構成である請求の範囲第６項に記載の情報記録制御プログラム。
【請求項９】
前記所定の領域を、前記記録手段が物理的に分離された複数の前記記録手段から構成される場合に、前記情報記録装置の基本ソフトウェア及び／又は応用ソフトウェアが格納された記録手段とは異なる記録手段とする請求の範囲第６項に記載の情報記録制御プログラム。
【請求項１０】
前記所定の領域を、前記記録手段が論理的に分離された複数の記録区画を有する前記記録手段で構成される場合に、前記情報記録装置の基本ソフトウェア及び／又は応用ソフトウェアが格納された記録区画とは異なる記録区画とする請求の範囲第６項に記載の情報記録制御プログラム。
【発明の詳細な説明】
【技術分野】  本発明は、記録媒体に記録された情報を記録手段に記録する情報記録装置及び情報記録制御プログラムに関する。
【背景技術】  近年、写真に関連する様々なサービスが提供されるようになってきている。例えば、ユーザがデジタルカメラで写真を撮影し、写真の画像ファイルを記録したデジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる。
また、デジタルカメラやメディア、フィルムから読み取った画像データを、例えば、ＤＶＤプレーヤやＤＶＤレコーダのような画像再生機器で再生することができるようにファイル形式を変換し、元の画像データと変換した画像データとをＣＤ−Ｒ、ＤＶＤ−Ｒなどの記録媒体に書き込むサービスも行われている。
そして、ユーザは画像データが書き込まれた記録媒体をパソコンに挿入し、パソコンにインストールされているスライドショープログラムなどのアプリケーションを用いて画像データの表示、編集、画像処理等を行ったり、記録媒体を画像再生機器に挿入して画像データを表示するなどして画像データを活用することができる。また、上記記録媒体は、画像データを提供するユーザ自身が利用するのみならず、写真画像を見せたい知人などにプレゼントする用途にも利用されている。
さて、記録媒体に記録された画像データを、パソコン（パーソナルコンピュータ）等の情報記録装置に格納されたハードディスクドライブ（以下、ＨＤＤという）にコピー（上書き記録）を行う場合、ユーザにより手動にてＨＤＤの任意の記録領域に保存することが行われていた。また、画像データが記録されたデジタルカメラが情報記録装置に接続されると、自動的に画像データの保存が行われる方法が提案されていた（例えば、特開平０８−０６９６８４号公報）。
しかしながら、上記公報では、画像データが保存される記録領域に対してデータ保管上の安全性が考慮されていないため、記録領域に障害が発生した際には記録された画像データが失われてしまう可能性があった。例えば、パソコンのオペレーティングシステム（以下、ＯＳという）が格納されたＨＤＤに画像データが保存される場合には、ウイルスやワーム等の悪意を持ったソフトウェアが侵入すると、ＯＳを破壊するように挙動することがあるため、ＯＳが格納された領域はデータの改竄や消去されるおそれがあり、同一ＨＤＤに保存された画像データにも被害が及ぶ可能性があった。また、各種アプリケーションが格納されたＨＤＤに画像データが保存される場合には、アプリケーションの実行領域を圧迫する可能性があるため、各種処理に多大な負荷を及ぼすおそれがあった。
【発明の開示】
本発明は、記録媒体に記録された情報を安全な領域に記録することができる情報記録装置及び情報記録制御プログラムを提供することにある。
本発明は、記録媒体に記録された情報を記録手段の所定の領域に記録する情報記録装置において、前記記録手段の設計仕様に基づいて前記所定の領域を選定する選定手段を備え、前記所定の領域に前記情報を自動的に記録を行う手段を有する。
ここで、記録媒体とは、ＣＤ−ＲＯＭ、ＣＤ−Ｒ、ＣＤ−ＲＷ、ＤＶＤ−ＲＯＭ、ＤＶＤ−ＲＡＭ、ＤＶＤ±Ｒ、ＤＶＤ±ＲＷ、ブルーレイディスク、ＭＯ、スマートメディア、コンパクトフラッシュ（登録商標）、メモリースティック（登録商標）、ＳＤメモリーカード、マルチメディアカード等の記録媒体であり、デジタルカメラ、カメラ機能付き携帯電話機等の記録媒体を有する撮影装置である。また、情報とは、静止画像データ、動画データ、楽曲音声データ、コンテンツデータ、アプリケーションデータ等の情報データである。
また、本発明は、前記記録媒体に当該記録媒体を識別する識別情報が付帯されているかを検出する識別情報検出手段を更に備え、前記記録媒体に識別情報が付帯されている場合に、前記選定手段を行い、前記所定の領域に前記情報を自動的に記録する手段を有する。
また、前記記録手段の設計仕様は、前記記録手段の機能的構成、物理的構成又は論理的構成が好ましい。
ここで、機能的構成とは、所定の機能を実現させるためのソフトウェアが格納された記録手段の構成であり、物理的構成とは、情報記録装置に接続される記録手段の数や種類等の構成であり、論理的構成とは、記録媒体に対してパーティション設定等が施された構成である。
また、本発明の情報記録装置は、前記選定手段は、前記記録手段が物理的に分離された複数の前記記録手段から構成される場合に、前記情報記録装置の基本ソフトウェア及び／又は応用ソフトウェアが格納された記録手段とは異なる記録手段を前記所定の領域と選定する手段を有する。
ここで、基本ソフトウェアとは、記録手段を有する装置全体を管理するソフトウェアであって、オペレーティングシステム等のソフトウェアであり、また、応用ソフトウェアとは、文書の作成、数値計算等ある特定の目的のために設計されたアプリケーション等のソフトウェアである。
また、本発明の情報記録装置の情報記録装置において、前記選定手段は、前記記録手段が論理的に分離された複数の記録区画を有する前記記録手段で構成される場合に、前記情報記録装置の基本ソフトウェア及び／又は応用ソフトウェアが格納された記録区画とは異なる記録区画を前記所定の領域と選定する手段を有する。
ここで、記録区画とは、記録手段がパーティション設定等により論理的に複数区切られた一つの区画であり、あたかも複数の記録手段が存在するかのように利用されるものである。
更に、本発明は、コンピュータを、記録媒体に記録された情報を記録手段の所定の領域に記録させる手段として機能させる情報記録制御プログラムにおいて、前記記録手段の設計仕様に基づいて前記所定の領域を選定させる選定手段と、前記所定の領域に前記情報を自動的に記録させる手段として機能させる情報記録制御プログラムを有する。
ここで、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えば、パソコン、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等）を問わない。したがって、本発明に係るプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
また、本発明は、前記コンピュータを、前記記録媒体に当該記録媒体を識別する識別情報が付帯されているかを検出させる識別情報検出手段として機能させ、前記識別情報が検出された場合に、前記記録手段の構成に基づいて前記所定の領域を選定させて、前記所定の領域に前記情報を自動的に記録させる情報記録制御プログラムを有する。
また、情報記録制御プログラムにおいて、前記記録手段の設計仕様は、前記記録領域の機能的構成、物理的構成又は論理的構成が好ましい。
また、本発明の情報記録制御プログラムにおいて、前記所定の領域を、前記記録手段が物理的に分離された複数の前記記録手段から構成される場合に、前記情報記録装置の基本ソフトウェア及び／又は応用ソフトウェアが格納された記録手段とは異なる記録手段を有する。
また、本発明の情報記録制御プログラムにおいて、前記所定の領域を、前記記録手段が論理的に分離された複数の記録区画を有する前記記録手段で構成される場合に、前記情報記録装置の基本ソフトウェア及び／又は応用ソフトウェアが格納された記録区画とは異なる記録区画とする手段を有する。
【図面の簡単な説明】  第１図は、本発明の実施の形態に係る情報記録装置１の構成を模式的に示す図である。
第２図は、本発明の実施の形態に係る情報記録装置１の構成を示すブロック図である。
第３図は、本発明の実施の形態に係る情報記録制御処理の手順を示すフローチャート図である。
第４図は、本実施の実施の形態に係るＣＤ−Ｒのデータ構造の一例を示す図である。
第５（ａ）図は、本発明の実施の形態に係る情報記録装置１のドライブ構成を示す図である。
第５（ｂ）図は、本発明の実施の形態に係る情報記録装置１の情報データコピー後のドライブ構成の一例を示す図である。
第６（ａ）図は、本発明の実施の形態に係る情報記録装置１のドライブ構成を示す図である。
第６（ｂ）図は、本発明の実施の形態に係る情報記録装置１の情報データコピー後のドライブ構成の一例を示す図である。
第７図は、本発明の実施の形態に係る情報記録装置１のドライブ構成の一例を示す図である。
第８図は、本発明の実施の形態に係る情報記録装置１の情報データコピー後のドライブ構成の一例を示す図である。
第９図は、本発明の実施の形態に係る情報記録装置１のドライブ構成の一例を示す図である。
第１０図は、本発明の実施の形態に係る情報記録装置１の情報データコピー後のドライブ構成の一例を示す図である。
【発明を実施するための最良の形態】  以下、図を参照して、本発明を実施するための最良の形態を詳細に説明する。
第１図に本実施の形態に係る情報記録装置１の外観構成を示す。
第１図に示すように、情報記録装置１は、ＣＤ−ＲやＤＶＤ−Ｒ、ブルーレイディスク等の記録媒体９を装填する記録媒体装填部１７ａと、スマートメディア、コンパクトフラッシュ、メモリースティック、ＳＤメモリーカード、マルチメディアカード等の記録媒体を装填するメディア装填部１７ｂと、デジタルカメラやカメラ付き携帯電話機等の記録媒体である撮影機器を有線又は無線、赤外線等によって接続するための機器接続部１７ｃと、ボタン、キーボード、マウス等を有する入力部１２及びＬＣＤ（Ｌｉｑｕｉｄ  Ｃｒｙｓｔａｌ  Ｄｉｓｐｌａｙ）、ＣＲＴ（Ｃａｔｈｏｄｅ  Ｒａｙ  Ｔｕｂｅ）等を有する表示部１３とを備えている。なお、図示しないが、筐体の内部には後述する選定手段としての制御部が格納されている。
なお、本実施の形態では、記録媒体装填部１７ａ、メディア装填部１７ｂ、機器接続部１７ｃを記録媒体から画像データ等の各種データを入力する手段として用いているが、該記録媒体に予め用意したデータを記録する手段として用いてもよい。また、第１図ではパソコン型の情報記録装置１を記載しているが、情報記録装置１の形態はこれに限定されず、例えば、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等としてもよい。
次に、情報記録装置１の機能的構成を第２図のブロック図を用いて説明する。第２図において、情報記録装置１は、制御部１１、入力部１２、表示部１３、通信制御部１４、ＲＡＭ（Ｒａｎｄｏｍ  Ａｃｃｅｓｓ  Ｍｅｍｏｒｙ）１５、記憶部１６、情報入力部１７、識別情報抽出部１８等から構成されており、各部はバス１９により接続されている。
選定手段としての制御部１１は、図示しないＣＰＵ（Ｃｅｎｔｒａｌ  Ｐｒｏｃｅｓｓｉｎｇ  Ｕｎｉｔ）等から構成され、記憶部１６に格納された各種プログラムを読み出し、ＲＡＭ１５に展開し、該制御プログラムに従って各部の動作を集中処理する。また、制御部１１は、ＲＡＭ１５に展開したプログラムに従って各種処理を実行し、その処理結果をＲＡＭ１５に格納するとともに、表示部１３に表示させる。そして、ＲＡＭ１５に格納した処理結果を記憶部１６の所定の保存先に保存させる。
具体的には、制御部１１は、記録媒体装填部１７ａ、メディア装填部１７ｂ、機器接続部１７ｃに装填又は接続される記録媒体から、識別情報を検出する制御を識別情報検出部１８に行い、その結果に応じた各種制御を行う。また、識別情報検出部１８により、識別情報が検出されると、制御部１１は、情報記録装置１に備えられた記憶部１６であるＨＤＤの設計仕様に基づいて記録媒体に記録された各種データを記録する記録領域の選定を行い、その結果に基づいて各種データを選定された記録領域に記録する制御を行う。
入力部１２は、カーソルキー、数字入力キー及び各種機能キーなどを備えたキーボードと、マウスなどのポインティングデバイスを備えて構成され（何れも図示略）、キーボードに対するキー操作やマウス操作により入力された指示信号を制御部１１に出力する。また、入力部１２は、表示部１３の表示画面に設けられたタッチパネルを備えても良く、このタッチパネルを介して入力された指示信号を制御部１１に出力する。
表示部１３は、第１図で示したＬＣＤやＣＲＴ等により構成され、制御部１１から入力される表示信号の指示に従って、入力部１２からの入力指示や画像等を表示画面上に表示させる。
通信制御部１４は、ＬＡＮボード、ルータあるいはＴＡ（Ｔｅｒｍｉｎａｌ  Ａｄａｐｔｅｒ）などにより構成され（何れも図示略）、ネットワークに接続される各装置との間で行われる通信を制御する。
ＲＡＭ１５は、制御部１１により実効制御される各種装置において、記憶部１６から読み出された情報記録装置１上で実行可能なシステムプログラム、制御プログラム、入力若しくは出力データ、及びパラメータ等の一時的な格納領域を形成する。
記録手段としての記憶部１６は、制御部１１によって実行される各種プログラムやデータを格納する。具体的には、記録媒体に記録された各種データの記録する領域を選定するための情報記録制御プログラムを格納している。また、記録媒体に記録された画像データ等の各種データが記憶部１６に記録される。
記憶部１６は、磁気的又は光学的記録媒体、もしくは半導体メモリで構成されている。この記録媒体は、記憶部１６に固定的に設けられているものや、着脱自在に備えるような構成であってもよいし、通信制御部１４を介してネットワークに接続された、図示しない外部記憶装置等であってもよい。なお、構成される記録媒体の数は限定されないものとする。
情報入力部１７は、ＣＤ−ＲＯＭ、ＣＤ−Ｒ、ＣＤ−ＲＷ，ＤＶＤ−ＲＯＭ、ＤＶＤ±Ｒ、ＤＶＤ±ＲＷ、ＤＶＤ−ＲＡＭ、ブルーレイディスク、ＭＯ等の記録媒体を装填する記録媒体装填部１７ａと、スマートメディア、コンパクトフラッシュ、メモリースティック、ＳＤメモリーカード、マルチメディアカード等の記録媒体を装填するメディア装填部１７ｂと、デジタルカメラやカメラ付き携帯電話機等の記録媒体を有した撮影機器を有線又は無線、赤外線等によって接続するための機器接続部１７ｃとから構成され、装填される記録媒体又は接続された機器に記録された静止画像データ、動画データ、楽曲音声データ、コンテンツデータ、アプリケーションデータ等（以下、情報データという。）の読み出しを行う。
識別情報検出部１８は、識別情報検出手段として、記録媒体に付帯された識別情報又はＣＤ−Ｒのレーベル面等に備えられたＩＣチップ、バーコード、二次元バーコード等に含まれる識別情報を検出して、その結果を制御部１１に出力する。なお、ここで識別情報とは、記録媒体であるＣＤ−Ｒが後述する情報記録制御処理を許可された記録媒体であるか否かを判定するために利用される情報を意味し、例えば、記録媒体に与えられる固有の情報、製造番号情報等を用いることができ、識別情報が付帯されていれば、後述する情報記録制御処理が許可された記録媒体と判断される。なお。識別情報は、情報記録装置１で検出可能に付帯されていればよく、ＣＤ−Ｒのどの領域に記録されていてもよいし、特定の情報記録装置１で読み取れるように暗号化されて付帯されていてもよい。
次に、本実施の形態の動作を第３図を参照して説明する。
動作説明の前提として、以下のフローチャートに記述されている各処理を実現するためのプログラムは、コンピュータが読み取り可能なプログラムコードの形態で記憶部１６に記録されており、制御部１１は、当該プログラムコードに従った動作を実行する。
制御部１１により、記録媒体中の情報データが、情報記録装置１の記憶部１６に記録されるまでの手順について、第３図のフローチャート図を参照して説明する。なお、本実施の形態では、記録媒体装填部２に装填された記録媒体としてＣＤ−Ｒに記録された情報データのコピーを、情報記録装置１の記録手段であるＨＤＤに行う例を示す。
まず、記録媒体装填部１７ａにＣＤ−Ｒが装填されると（ステップＳ１；Ｙｅｓ）、識別情報検出部１８によりＣＤ−Ｒに識別情報が付帯されているか否かが検出され（ステップＳ２）、その結果が制御部１１に出力される。ここで、識別情報が検出されない場合（ステップＳ２；Ｎｏ）、本処理は直ちに終了となる。この場合、ＣＤ−Ｒに記録された情報データは、情報記録装置１のＨＤＤにコピーは行われない。
一方、識別情報が検出された場合は（ステップＳ２；Ｙｅｓ）、情報記録装置１に内蔵されるＨＤＤにおいて、当該情報記録装置１におけるＯＳの格納されたドライブが確認される（ステップＳ３）。ここで、ドライブとは、ＯＳが管理可能にフォーマットされたＨＤＤの記録領域を示しており、一台のＨＤＤに対してパーティションを設定することで、あたかも複数台ＨＤＤがあるかのように作成された論理ドライブをも含むものとする。
次いで、ステップＳ３で確認されたＯＳの格納されたドライブ（以下、ＯＳドライブという）以外に、他のドライブが存在するか否かが判断される（ステップＳ４）。ここで、ＯＳドライブ以外に他のドライブ（以下、別ドライブという）が存在しない場合（ステップＳ４；無）、ＣＤ−Ｒに記録された情報データのコピーが、ＯＳドライブに対して自動的に行われ（ステップＳ５）、本処理は終了する。
ここで、第４図、第５図を参照して、ステップＳ５で行われる情報データのコピー前後のデータ構造を説明する。
第４図は、記録媒体装填部１７ａに装填されるＣＤ−Ｒのデータ構造の一例を示す図である。第４図に示すように、ＣＤ−Ｒは、情報記録装置１に装填される際に、ＣＤ−Ｒ内に記録されたプログラム等を起動させる起動ファイル（Ａｕｔｏｒｕｎ．ｉｎｆ）と、ＣＤ−Ｒ枚に固有の識別情報が記録された識別情報ファイル（ｉｎｆｏ．ｔｘｔ）と、情報データの格納フォルダ（ＰＳ＿Ｉｍａｇｅ）と、各種プログラムが格納されたアプリケーションフォルダ（Ａｐｐｌｉｃａｔｉｏｎ）と、スライドショーのＢＧＭとして流す楽曲音声データの格納フォルダ（ＢＧＭ）等を有している。
情報データ格納フォルダ（ＰＳ＿Ｉｍａｇｅ）には、複数の画像群（ロール）毎に情報データ（Ｒ０３１１１０００００１．ｊｐｇ等）が情報データフォルダ（ＰＲ＿ＪＰＳ＿０３ＢＡ７３０３０００１＿００１）に格納されて記録されている。さらに、情報データフォルダに格納される情報データが画像データである場合、画像データに対応したサムネイルデータ（Ｔ０３１１１０００００１．ｊｐｇ等）がフォルダ（ＴＨＭ）に格納され、スクリーンデータ（Ｓ０３１１１０００００１．ｊｐｇ等）がフォルダ（ＳＣＲＥＥＮ）に格納されて記録されている。ここで、ロールとは、フィルムカメラにおけるフィルムに相当し、撮影日毎、予め設定された画像数やデータ量毎等の基準に応じて分類される単位をいう。
第５図は、情報記録装置１のドライブ構成の一例を示す図である。
第５（ａ）図は、情報記録装置１に備えられたドライブと、情報記録装置１のＯＳが格納されたフォルダをツリー構造で表した図であり、Ｃドライブ以下に情報記録装置１のＯＳが格納されていることを示している。
ステップＳ４の判断によりＣドライブが選定されると、第５（ｂ）図に示すように、ステップＳ５にて、Ｃドライブ以下のバックアップパスにＣＤ−Ｒに固有の識別情報（ＪＰＳ０３ＢＡ７３０３０００１）のフォルダが生成され、生成されたフォルダ内にロール毎の情報データフォルダがコピーされる。このように、Ｃドライブしか存在しないような場合であっても、本発明のプログラムは、情報記録装置１にコピーを実行させないわけではなく、記録領域のステップＳ４の判断に基づいてＣドライブにコピーを実行させる。なお、ステップＳ５で情報データのコピーが行われるドライブは、ＯＳと同一であるため、ウイルス等の悪意を持ったソフトウェアの影響や、ＯＳ障害時に影響を受けるおそれがある。
なお、第５（ｂ）図では、サムネイルデータ及びスクリーンデータの図示は省略している（以下、第６（ｂ）図、第８図、第１０図同様）。また、本実施の形態では、ＣＤ−Ｒに記録された、ロール毎の情報データフォルダ以下がコピーされることとしたが、これに限定されず、ＣＤ−Ｒに記録されるプログラム、楽曲音声情報がコピーされるとしてもよい。
第３図に戻り、ステップＳ４にて別ドライブの存在が確認された場合（ステップＳ４；有）、別ドライブに物理的に異なるドライブが存在しているか否かが判断される（ステップＳ６）。ここで、物理的に異なるとは、情報記録装置１が、少なくとも二つ以上のＨＤＤを備えており、ドライブとして管理可能な状態にあることをいう。例えば、一つのＨＤＤがパーティション設定により二つのドライブとしてＯＳに管理されているような場合は、物理的に異なるドライブには該当しない。
別ドライブに、物理的に異なるドライブが存在しない場合は（ステップＳ６；無）、ＣＤ−Ｒに記録された情報データのコピーが、ＯＳドライブ以外の別ドライブに自動的に行われ（ステップＳ７）、本処理は終了する。この場合、別ドライブはパーティション設定により作成された論理ドライブであり、ＯＳと情報データは同一ＨＤＤ上に記録されることとなる。
第６図を参照して、ステップＳ７で行われる情報データのコピー前後のデータ構造を説明する。
第６（ａ）図は、情報記録装置１のドライブ構成の一例を示す図であり、情報記録装置１に備えられたドライブと、情報記録装置１のＯＳが格納されたフォルダをツリー構造で表している。ここで、論理ドライブとしてパーティション設定されたＣドライブとＤドライブが存在し、情報記録装置１のＯＳがＣドライブ以下に格納されていることを示している。
ステップＳ６の判断によりＤドライブが選定されると、第６（ｂ）図に示すように、ステップＳ７にて、Ｄドライブ以下のバックアップパスにＣＤ−Ｒに固有の識別情報（ＪＰＳ０３ＢＡ７３０３０００１）のフォルダが生成され、生成されたフォルダ内にロール毎の情報データフォルダがコピーされる。ここで、ステップＳ７で情報データのコピーが行われるドライブは、ＯＳドライブとは異なるドライブであるため、ウイルス等の悪意を持ったソフトウェアの影響を受ける可能性は低下するが、物理的にはＯＳと同一のＨＤＤに存在しているため、ＯＳ障害時に影響を受ける可能性がある。
第３図に戻り、ステップＳ６にて別ドライブに物理的に異なるドライブの存在が確認された場合（ステップＳ６；有）、当該別ドライブに、プログラムが格納されているか否かの判断が行われる（ステップＳ８）。ここで、プログラムとは、制御部１１及びＯＳとの協働により実行される文書作成、数値計算等ある特定の目的のために設計されたアプリケーションプログラムを意味している。
別ドライブにプログラムが格納されている場合は（ステップＳ８；有）、ＣＤ−Ｒに記録された情報データのコピーが、プログラムが格納された別ドライブに自動的に行われ（ステップＳ９）、本処理は終了する。
第７図、第８図を参照して、ステップＳ９で行われる情報データのコピー前後のデータ構造を説明する。
第７図は、情報記録装置１のドライブ構成の一例を示す図である。
第７図は、情報記録装置１に備えられたドライブと、情報記録装置１のＯＳ及びプログラムが格納されたフォルダをツリー構造で表した図である。ここで、論理ドライブとしてパーティション設定されたＣドライブとＤドライブが存在し、Ｃドライブ以下に情報記録装置１のＯＳが格納されており、さらに、Ｃ，Ｄドライブとは物理的に異なるＥドライブ以下に、プログラムが格納された構成を示している。
ステップＳ８の判断によりＥドライブが選定されると、第８図に示すように、ステップＳ９にて、Ｅドライブ以下のバックアップパスにＣＤ−Ｒに固有の識別情報（ＪＰＳ０３ＢＡ７３０３０００１）のフォルダが生成され、生成されたフォルダ内にロール毎の情報データフォルダがコピーされる。ここで、ステップＳ９で情報データのコピーが行われるドライブは、ＯＳドライブとは物理的に異なるドライブであるため、ウイルス等の悪意を持ったソフトウェアの影響及びＯＳ障害時の影響を受ける可能性は低下する。しかしながら、プログラムと物理的に同一のＨＤＤに存在しているため、各種アプリケーションの実行領域を圧迫する可能性があり、各種処理に多大な負荷をかける可能性がある。
第３図に戻って、別ドライブにプログラムが存在しない場合は（ステップＳ８；無）、ＣＤ−Ｒに記録された情報データのコピーが、当該別ドライブに自動的に行われ（ステップＳ１０）、本処理は終了する。
ここで、第９図、第１０図を参照して、ステップＳ１０で行われる情報データのコピー前後のデータ構造を説明する。
第９図は、情報記録装置１のドライブ構成の一例を示す図であり、情報記録装置１のドライブ構成及び主要なフォルダをツリー構造で表している。ここで、情報記録装置１は、当該情報記録装置１のＯＳが格納されたＣドライブと、プログラムが格納されたＤドライブと、Ｅドライブとを備え、各々物理的に異なったドライブで構成されている。
ステップＳ８の判断によりＥドライブが選定されると、第１０図に示すように、ステップＳ１０にて、Ｅドライブ以下のバックアップパスにＣＤ−Ｒに固有の識別情報（ＪＰＳ０３ＢＡ７３０３０００１）のフォルダが生成され、生成されたフォルダ内にロール毎の情報データフォルダがコピーされる。ここで、ステップＳ１０で情報データのコピーが行われるドライブは、ＯＳ及びプログラムが格納されたドライブとは物理的に異なるドライブであるため、ウイルス等の悪意を持ったソフトウェアの影響及びＯＳ障害時の影響を受ける可能性は低下するとともに、各種アプリケーションの実行領域を圧迫する可能性も低下する。
上記のように、情報記録装置１に備えられるＨＤＤの設計仕様に基づいて、最初に、物理的、論理的を問わずＯＳ等の基本ソフトウェアの格納されていないドライブを選定し、次いで、物理的に異なったドライブを選定し、次に、プログラム等の応用ソフトウェアが格納されていないドライブを選定することで、情報記録装置１の設計仕様に応じた、より安全性の高い記録領域に自動的に情報データをコピーすることが可能となる。なお、ステップＳ１０で情報データがコピーされる領域が、情報記録装置１において最も安全度が高い領域であり、次いでステップＳ９でコピーされる領域、ステップＳ７でコピーされる領域、ステップＳ５でコピーされる領域、と安全度は低下して行く。
本実施の形態では、物理的に異なったドライブが存在するか否かの判断を、アプリケーションプログラムが格納されたドライブの判断より優先させることとしたが、本実施の形態に限定されず、アプリケーションプログラムが格納されたドライブの判断を優先させることとしてもよく、使用環境や状況に応じて適宜変更可能であるものとする。なお、ＯＳが格納されたドライブの判別を最優先とすることは、情報データの保全上好ましい。
また、本実施の形態では、情報データの保存領域を選定する判断基準を、ドライブの特性及び格納されたＯＳ、プログラムに基づいて行うこととしたが、これに限定されず、例えば、情報データの特性を選定の判断基準としてもよいし、識別情報に含まれた情報に基づいて判断することとしてもよい。
また、本実施の形態では、情報データが格納されるフォルダの名称をＣＤ−Ｒに固有の識別情報と同一としたが、これに限定されず、そのような数字や文字、記号で構成されてもよいが、ユーザが情報データの検索、管理がしやすいよう構成されていることが好ましく、フォルダ名が重複しないようにユニークに構成されていればなお好ましい。
また、本実施の形態では、記録媒体としてＣＤ−Ｒを例示したが、これに限定されず、ＣＤ−ＲＯＭ、ＣＤ−ＲＷ、ＤＶＤ−ＲＯＭ、ＤＶＤ−ＲＡＭ、ＤＶＤ±Ｒ、ＤＶＤ±ＲＷ、ブルーレイディスク、ＭＯ等の記録媒体、スマートメディア、コンパクトフラッシュ、メモリースティック、ＳＤメモリーカード、マルチメディアカード等の記録媒体、デジタルカメラやカメラ付き携帯電話機等の記録媒体であってもよい。
なお、本実施の形態における記述は、本発明に係る情報記録装置の一例を示すものであり、これに限定されるものではない。本実施の形態における情報記録装置１の細部構成及び詳細動作に関しては、本発明の趣旨を逸脱しない範囲で適宜変更可能である。
【産業上の利用可能性】  本発明によれば、記録媒体に記録された情報を記録手段の所定の領域に記録するに際し、記録手段の設計仕様に基づいて所定の領域を選定して、記録媒体に記録された情報が自動的に記録が行われることにより、記録手段の設計仕様に応じて記録領域を選定することが可能であるため、最適な記録領域に情報の記録を行うことができる。
また、記録媒体に記録された情報を記録手段の所定の領域に記録するに際し、記録媒体に前記記録媒体を識別する識別情報が付帯されているか検出して、識別情報が付帯されている場合に、記録手段の設計仕様に基づいて所定の領域を選定して、記録媒体に記録された情報が自動的に記録が行われることにより、所定の記録媒体に記録された情報のみ記録を行うことが可能であり、また、記録手段の設計仕様に応じて記録領域を選定することが可能であるため、最適な記録領域に情報の記録を行うことができる。
また、記録手段の設計仕様が、前記記録手段の機能的構成、物理的構成又は論理的構成であるため、より詳細な条件で情報を記録する所定の領域を選定することが可能となる。
また、記録手段が物理的に分離された複数の前記記録手段から構成される場合に、ＯＳ及び／又はアプリケーションが格納された記録手段とは異なる記録手段を前記所定の領域と選定するため、より安全度の高い領域に情報の記録を行うことが可能である。
更に、記録手段が論理的に分離された複数の記録区画を有する前記記録手段で構成される場合に、ＯＳ及び／又はアプリケーションが格納された記録区画とは異なる記録区画を前記所定の領域と選定するため、より安全度の高い領域に情報の記録を行うことが可能である。
【図１】
2005055063.tif 000002
【図２】
2005055063.tif 000003
【図３】
2005055063.tif 000004
【図４】
2005055063.tif 000005
2005055063.tif 000006
2005055063.tif 000007
【図７】
2005055063.tif 000008
【図８】
2005055063.tif 000009
【図９】
2005055063.tif 000010
【図１０】
2005055063.tif 000011
【国際調査報告】
2005055063.tif 000012
2005055063.tif 000013
2005055063.tif 000014
2005055063.tif 000015